【事件の表示】
　特願２００２−１４５８１４「スクリーン印刷方法」拒絶査定不服審判事件〔平成１５年１１月２５日出願公開、特開２００３−３３４９２５〕について、次のとおり審決する。
【結　論】
　本件審判の請求は、成り立たない。
【理　由】
第１　手続の経緯
　本願は、平成１４年５月２１日の出願であって、平成１８年１０月１９日付けで手続補正がなされ、平成１９年９月２８日付けで拒絶査定がなされ、これに対して、同年１１月１日付けで拒絶査定不服審判の請求がなされたものである。
　
第２　本願発明
　本願の請求項１に係る発明（以下「本願発明」という。）は、平成１８年１０月１９日付けの手続補正により補正された明細書及び図面の記載からみて、その特許請求の範囲の請求項１に記載された事項によって特定される、次のとおりのものである。
　
「パターン孔が設けられたマスクプレートを基板に当接させ、マスクプレート上にペーストを供給して正逆２方向のスキージング動作のために配設された２つのスキージを備えたスキージヘッドをこのマスクプレート上で移動させてスキージを摺動させることにより、前記パターン孔を介して基板にペーストを印刷するスクリーン印刷方法であって、スキージ昇降機構は、スキージの高さを、印刷動作を停止した状態におけるスキージの待機高さＨ０と、２つのスキージのいずれかがスキージング動作を行う際に、スキージングを行わないスキージの高さである非印刷側スキージ高さＨ１を保持する多点停止位置保持機能を有しており、前記２つのスキージのうちスキージング方向について後行側のスキージをマスクプレートに当接させ先行側のスキージをマスクプレートから前記非印刷側スキージ高さＨ１だけ離隔させた状態でスキージヘッドを正方向へ移動させてスキージング動作を行う正方向スキージング工程と、２つのスキージのうちスキージング方向について後行側のスキージをマスクプレートに当接させ先行側のスキージをマスクプレートから前記非印刷側スキージ高さＨ１だけ離隔させた状態で逆方向へのスキージング動作を行う逆方向スキージング工程と、前記正方向スキージング工程と逆工程スキージング工程とを反復する過程においてスキージヘッドが移動端点に到達した後に先行側のスキージをマスクプレートに対して下降させるとともに後行側のスキージをマスクプレートから前記非印刷側スキージ高さＨ１だけ離隔させるスキージ切り替え工程とを含み、
　前記非印刷側高さＨ１のスキージは、前回の印刷時に付着したペーストをマスクプレート上で引き摺ったまま移動し、
　また前記スキージ切り替え工程において、前記先行側のスキージを次回スキージング動作におけるスキージング方向へ水平移動させることなくマスクプレートに当接させることにより、先行側スキージの下端部に付着したペーストのスキージング面の裏側への回り込み防止することを特徴とするスクリーン印刷方法。」
　
第３　引用刊行物及び引用発明
　原査定の拒絶の理由に引用され、本願の出願前に頒布された刊行物である特開平９−３１４７９９号公報（以下「引用例」という。）には、以下の事項が図とともに記載されている。（下線は審決で付した。以下同じ。）
　
１　「【請求項１】　所定のパターン開口部を有するスクリーンと、往路用スキージと復路用スキージとで前記スクリーン上を往復移動させて印刷を行うに際し、
往路方向の印刷を終え
復路方向の印刷を実施するスクリーン印刷方法
　
２　「【００１４】…（略）…
４はスクリーン開口部で、５は基板
【００１５】
６ａは往路用スキージ昇降アクチュエータ、６ｂは復路用スキージ昇降アクチュエータ
【００１６】スクリーン１がスクリーン裏面のクリーニング工程終了後、ならびに機種切り替え等でスクリーンを交換後の使用開始時において、任意に設定した枚数までの印刷動作は以下のようになる。
【００１７】往路印刷は、
往路用スキージ２ａをスクリーン１の上に降下し当接させクリームハンダ３を往路用スキージ２ａの先端で押し付けたままスクリーン１上を右方向に移動させ、所定の位置まで移動後に停止する
【００１８】
次に、
復路用スキージ２ｂをスクリーン１の上に降下し当接させ、その後に
往路用スキージ２ａを上昇させ印刷方向の切り替えを行う
【００１９】
スキージの切り替え後はクリームハンダ３を復路用スキージ２ｂの先端で押し付けたままスクリーン１上を左方向に移動させ、所定の位置まで移動後に停止する
　
３　図１及び図２から、
スクリーン開口部４が設けられたスクリーン１を基板５に当接させ、スクリーン１上にクリームハンダ３を供給し、往路用スキージ２ａ、復路用スキージ２ｂ、往路用スキージ昇降アクチュエータ６ａ及び復路用スキージ昇降アクチュエータ６ｂを備えた部材をスクリーン１上で移動させ、往路用スキージ２ａ又は復路用スキージ２ｂを摺動させることにより、スクリーン開口部４を介して基板５にクリームハンダ３を印刷する
　
４　図１から、
往路用スキージ昇降アクチュエータ６ａ及び復路用スキージ昇降アクチュエータ６ｂは、往路用スキージ２ａと復路用スキージ２ｂを上下方向において上昇又は降下させ、いずれか一方をスクリーン１に当接する位置に保持し、他方をスクリーン１に当接しない位置に保持する
　
５　上記１ないし４から、引用例には、次の発明（以下「引用発明」という。）が記載されていると認められる。
　
「スクリーン開口部が設けられたスクリーンを基板に当接させ、前記スクリーン上にクリームハンダを供給し、往路用スキージ、復路用スキージ、往路用スキージ昇降アクチュエータ及び復路用スキージ昇降アクチュエータを備えた部材を前記スクリーン上で移動させ、前記往路用スキージ又は前記復路用スキージを摺動させることにより、前記スクリーン開口部を介して前記基板に前記クリームハンダを印刷する、往路方向の印刷と復路方向の印刷を実施するスクリーン印刷方法であって、
　前記往路用スキージ昇降アクチュエータ及び前記復路用スキージ昇降アクチュエータは、前記往路用スキージと前記復路用スキージを上下方向において上昇又は降下させ、いずれか一方を前記スクリーンに当接する位置に保持し、他方を前記スクリーンに当接しない位置に保持するものであり、
　前記往路用スキージを前記スクリーンの上に降下し当接させ前記クリームハンダを前記往路用スキージの先端で押し付けたまま前記スクリーン上を往路方向に移動させ、所定の位置まで移動後に停止し、
　次に、前記復路用スキージを前記スクリーンの上に降下し当接させ、その後に前記往路用スキージを上昇させ印刷方向の切り替えを行い、
　スキージの切り替え後は前記クリームハンダを前記復路用スキージの先端で押し付けたまま前記スクリーン上を復路方向に移動させ、所定の位置まで移動後に停止する、
　スクリーン印刷方法。」
　
第４　対比
　本願発明と引用発明とを対比する。
１　引用発明の「スクリーン開口部」、「スクリーン」、「基板」、「クリームハンダ」、「往路用スキージ、復路用スキージ」、「往路用スキージ昇降アクチュエータ及び復路用スキージ昇降アクチュエータ」、「往路用スキージ、復路用スキージ、往路用スキージ昇降アクチュエータ及び復路用スキージ昇降アクチュエータを備えた部材」、「往路方向」、「往路方向の印刷」、「復路方向」、「復路方向の印刷」、「『前記復路用スキージを前記スクリーンの上に降下し当接させ、その後に前記往路用スキージを上昇させ』又は『スキージの切り替え』」及び「『スキージ』が『スクリーンに当接しない位置』」は、それぞれ、本願発明の「パターン孔」、「マスクプレート」、「基板」、「ペースト」、「正逆２方向のスキージング動作のために配設された２つのスキージ」、「スキージ昇降機構」、「スキージヘッド」、「正方向」、「正方向スキージング工程」、「逆方向」、「逆方向スキージング工程」、「スキージ切り替え工程」及び「非印刷側スキージ高さＨ１」に相当する。
　
２　引用発明のスクリーン印刷方法が、スクリーン開口部（パターン孔）が設けられたスクリーン（マスクプレート）を基板に当接させ、スクリーン上にクリームハンダ（ペースト）を供給し、往路用スキージ、復路用スキージ（正逆２方向のスキージング動作のために配設された２つのスキージ）、往路用スキージ昇降アクチュエータ及び復路用スキージ昇降アクチュエータ（スキージ昇降機構）を備えた部材（スキージヘッド）をスクリーン上で移動させ、往路用スキージ又は復路用スキージを摺動させることにより、スクリーン開口部を介して基板にクリームハンダを印刷することから、引用発明の「スクリーン印刷方法」と本願発明の「スクリーン印刷方法」とは、「パターン孔が設けられたマスクプレートを基板に当接させ、マスクプレート上にペーストを供給して正逆２方向のスキージング動作のために配設された２つのスキージを備えたスキージヘッドをこのマスクプレート上で移動させてスキージを摺動させることにより、前記パターン孔を介して基板にペーストを印刷する」点で一致する。
　
３　引用発明の「往路用スキージ昇降アクチュエータ及び復路用スキージ昇降アクチュエータ（スキージ昇降機構）」が、往路用スキージと復路用スキージのいずれか一方を、スクリーンに当接する位置に保持し、他方をスクリーンに当接しない位置（非印刷側スキージ高さＨ１）に保持することから、引用発明の「スキージ昇降機構」と本願発明の「『スキージの高さを、印刷動作を停止した状態におけるスキージの待機高さＨ０と、２つのスキージのいずれかがスキージング動作を行う際に、スキージングを行わないスキージの高さである非印刷側スキージ高さＨ１を保持する多点停止位置保持機能を有』しているスキージ昇降機構」とは、「２つのスキージのいずれかがスキージング動作を行う際に、スキージングを行わないスキージの高さである非印刷側スキージ高さＨ１を保持する機能を有」している点で一致する。
　
４　引用発明において、往路方向の印刷（正方向スキージング工程）は、往路用スキージをスクリーン（マスクプレート）の上に降下し当接させクリームハンダを往路用スキージの先端で押し付けたままスクリーン上を往路方向（正方向）に移動させる工程であり、このとき、復路用スキージは、スクリーンに当接しない位置（非印刷側スキージ高さＨ１）に保持される（上記３参照。）から、引用発明の「正方向スキージング工程」と本願発明の「正方向スキージング工程」とは、「２つのスキージのうちスキージング方向について後行側のスキージをマスクプレートに当接させ先行側のスキージをマスクプレートから非印刷側スキージ高さＨ１だけ離隔させた状態でスキージヘッドを正方向へ移動させてスキージング動作を行う」点で一致する。
　
５　上記４と同様に、引用発明の「逆方向スキージング工程（復路方向の印刷）」と本願発明の「逆方向スキージング工程」とは、「２つのスキージのうちスキージング方向について後行側のスキージをマスクプレートに当接させ先行側のスキージをマスクプレートから非印刷側スキージ高さＨ１だけ離隔させた状態で逆方向へのスキージング動作を行う」点で一致する。
　
６　引用発明において、往路用スキージを、スクリーン（マスクプレート）の上に降下し当接させ、往路方向に移動させ、所定の位置まで移動後に停止し、次に、復路用スキージをスクリーンの上に降下し当接させ、その後に往路用スキージを、スクリーンに当接しない位置（非印刷側スキージ高さＨ１）に上昇させ（スキージ切り替え工程）るところ、前記往路用スキージが停止する「所定の位置」は、本願発明の「『スキージヘッド』の『移動端点』」といえるから、引用発明の「スキージ切り替え工程」と本願発明の「スキージ切り替え工程」とは、「スキージヘッドが移動端点に到達した後に先行側のスキージをマスクプレートに対して下降させるとともに後行側のスキージをマスクプレートから前記非印刷側スキージ高さＨ１だけ離隔させる」点で一致する。
　
７　引用発明において、往路方向の印刷（正方向スキージング工程）と復路方向の印刷（逆方向スキージング工程）とが、多数枚の基板に順次印刷するために反復されること、及び、復路方向の印刷が終わった後、引き続き往路方向の印刷を行うために、上記６と同様のスキージ切り替えが行われることはいずれも明らかであるから、引用発明の「スキージ切り替え工程」と本願発明の「スキージ切り替え工程」とは、「正方向スキージング工程と逆工程スキージング工程とを反復する過程においてスキージヘッドが移動端点に到達した後に先行側のスキージをマスクプレートに対して下降させるとともに後行側のスキージをマスクプレートから前記非印刷側スキージ高さＨ１だけ離隔させる」点で一致する。
　
８　引用発明において、復路用スキージの降下は下方向に行われることから、引用発明の「復路用スキージをスクリーン（マスクプレート）の上に降下し当接させ、その後に往路用スキージを上昇させ（スキージ切り替え工程）」における「復路用スキージをスクリーンの上に降下し当接させ」は、「復路用スキージを水平移動させることなくスクリーンの上に降下し当接させ」といえることと、上記７から、引用発明は、本願発明の「前記スキージ切り替え工程において、先行側のスキージを次回スキージング動作におけるスキージング方向へ水平移動させることなくマスクプレートに当接させる」という事項を備えているといえる。
　
９　上記１ないし８から、本願発明と引用発明とは、
「パターン孔が設けられたマスクプレートを基板に当接させ、マスクプレート上にペーストを供給して正逆２方向のスキージング動作のために配設された２つのスキージを備えたスキージヘッドをこのマスクプレート上で移動させてスキージを摺動させることにより、前記パターン孔を介して基板にペーストを印刷するスクリーン印刷方法であって、スキージ昇降機構は、２つのスキージのいずれかがスキージング動作を行う際に、スキージングを行わないスキージの高さである非印刷側スキージ高さＨ１を保持する機能を有しており、前記２つのスキージのうちスキージング方向について後行側のスキージをマスクプレートに当接させ先行側のスキージをマスクプレートから前記非印刷側スキージ高さＨ１だけ離隔させた状態でスキージヘッドを正方向へ移動させてスキージング動作を行う正方向スキージング工程と、２つのスキージのうちスキージング方向について後行側のスキージをマスクプレートに当接させ先行側のスキージをマスクプレートから前記非印刷側スキージ高さＨ１だけ離隔させた状態で逆方向へのスキージング動作を行う逆方向スキージング工程と、前記正方向スキージング工程と逆工程スキージング工程とを反復する過程においてスキージヘッドが移動端点に到達した後に先行側のスキージをマスクプレートに対して下降させるとともに後行側のスキージをマスクプレートから前記非印刷側スキージ高さＨ１だけ離隔させるスキージ切り替え工程とを含み、
　また前記スキージ切り替え工程において、前記先行側のスキージを次回スキージング動作におけるスキージング方向へ水平移動させることなくマスクプレートに当接させるスクリーン印刷方法。」
である点で一致し、次の点で相違する。
　
相違点１：
　前記非印刷側高さＨ１のスキージが、本願発明では、「前回の印刷時に付着したペーストをマスクプレート上で引き摺ったまま移動する」のに対して、引用発明では、そのように移動しない点。
　
相違点２：
　前記スキージ昇降機構の機能が、本願発明では、「印刷動作を停止した状態におけるスキージの待機高さＨ０」にも保持する「多点停止位置保持機能」であるのに対して、引用発明では、そのようなものか不明な点。
　
相違点３：
　前記スキージ切り替え工程において、前記先行側のスキージを次回スキージング動作におけるスキージング方向へ水平移動させることなくマスクプレートに当接させることにより、本願発明では、「先行側スキージの下端部に付着したペーストのスキージング面の裏側への回り込み防止する」のに対して、引用発明では、そうするのか不明な点。
　
第５　判断
　上記相違点１ないし３について検討する。
１　相違点１について
（１）引用発明の非印刷側スキージ高さは、マスクプレートに当接しないスキージ高さである限りにおいて、当業者が適宜決定すべき設計事項というべきである。
（２）したがって、引用発明において、非印刷側スキージ高さをできるだけ低くすることは、当業者が適宜なし得た設計上のことである。
（３）上記（２）において、非印刷側スキージ高さをできるだけ低くすれば、非印刷側スキージ高さのスキージは、結果的に、少なくとも移動を開始した直後において、前回の印刷時に付着したペーストをマスクプレート上で引き摺ったまま移動することになる。
（４）上記（２）及び（３）から、引用発明において、上記相違点１に係る本願発明の構成となすことは、当業者が適宜なし得たことである。
　
２　相違点２について
（１）スキージを上昇させてスキージやスクリーンなどを交換することは、本願の出願前に周知である（以下「周知事項」という。例．特開平３−２３０９５３号公報（第２ページ右上欄第１４行〜左下欄第１２行参照。「
スキージ１０の交換を行うためには、スキージ１０と版１９との間にスキージ交換可能な作業空間を設ける必要がある
スキージヘッド６を持ち上げる
２個のスキージ９を上方へ退避させ
そこで、スクリーンマスク１を交換
（２）スキージを３段階の高さに保持することは、本願の出願前に周知である（以下「周知技術」という。例．特開平１０−９５０９６号公報（【００３８】、【００３９】及び図７参照。【００３９】には「
シリンダ３８ａの第１室８４
第１室８４内の圧力が所定値Ｐ
１
に維持され
スキージ４０
その先端が高さ位置ａに保たれ
第１室８４内の圧力がＰ
２
（＜Ｐ
１
）とされ
ピストンロッド４４ａが所定量だけ引き込まれ
第１室８４の圧力がＰ
３
（＝略零）にされ
スキージ４０が
離隔させられる
印刷用スキージ
スクリーン版を押し込む位置
印刷用スキージ先端がスクリーン印刷に版上面に当接した瞬間の位置
待機位置
（３）したがって、引用発明において、スキージやスクリーンなどを容易に交換するために、スキージ昇降機構の機能を、スキージを十分に上昇させ（上記（１）参照。）た高さ、できるだけ低く（上記１（２）参照。）した非印刷側スキージ高さ、及び印刷を行うスキージ高さからなる３段階の高さに保持する（上記（２）参照。）ものとすることは、当業者が、周知事項及び周知技術に基づいて容易に想到し得たことである。
（４）上記（３）において、「スキージやスクリーンなどの交換」を容易にするために「スキージを十分に上昇させた高さ」、及び、「３段階の高さに保持する」機能は、それぞれ、本願発明の「印刷動作を停止した状態におけるスキージの待機高さＨ０」及び「多点停止位置保持機能」に相当する。
（５）上記（３）及び（４）から、引用発明において、上記相違点２に係る本願発明の構成となすことは、当業者が、周知事項及び周知技術に基づいて容易になし得たことである。
　
３　相違点３について
（１）本願の明細書には、以下の事項が記載されている。
　「【０００６】そして、一方向へのスキージング完了後に他方向へのスキージングのためのスキージ切り替えを行う際には、ペーストを引き摺った状態の
スキージを反対方向へ移動させ
た後に
マスクプレートに対して下降させる
このため、
ペーストが
スキージング面の裏面に回り込む現象が発生
（２）上記（１）から、少なくとも、スキージ切り替え工程において、先行側のスキージを次回スキージング動作におけるスキージング方向へ水平移動させることなくマスクプレートに当接させれば、先行側スキージの下端部に付着したペーストのスキージング面の裏側への回り込み防止することになると認められる。
（３）したがって、スキージ切り替え工程において、先行側のスキージを次回スキージング動作におけるスキージング方向へ水平移動させることなくマスクプレートに当接させる引用発明も、同様に、先行側スキージの下端部に付着したペーストのスキージング面の裏側への回り込み防止するものと認められるから、上記相違点３は、実質的には相違点でない。
　
４　効果について
　本願発明が奏する効果は、引用発明が奏する効果、周知事項及び周知技術が奏する効果から当業者が予測し得たものである。
　
５　まとめ
　以上のとおり、本願の請求項１に係る発明は、当業者が、引用例に記載された発明、周知事項及び周知技術に基づいて容易に発明をすることができたものである。
　
第６　むすび
　上記第５のとおり、本願の請求項１に係る発明は、当業者が、引用例に記載された発明、周知事項及び周知技術に基づいて容易に発明をすることができたものであるから、特許法第２９条第２項の規定により特許を受けることができない。
　よって、結論のとおり審決する。